(57)【要約】  周波数帯処理方法及び装置が提供される。方法は、基地局により、端末のＣＡ能力情報を取得する段階（Ｓ７０１）と、基地局により、ＣＡ能力情報に基づいて、端末のアクセス周波数帯がプライマリ周波数帯からセカンダリ周波数帯に切り換えられると決定する段階（Ｓ７０２）と、基地局により、切り換え命令を端末に送信する段階であって、切り換え命令は、プライマリ周波数帯からセカンダリ周波数帯にアクセス周波数帯を切り換えるよう端末に命令するために用いられる、段階（Ｓ７０３）とを含む。方法によれば、切り換えた後に、端末は、より良い周波数帯の組み合わせを取得でき、かつ、より良いＣＡ効果を達成でき、その結果、より広い帯域幅を取得することができ、ユーザエクスペリエンスを向上させる。
2019525545.tif 000002
【特許請求の範囲】
【請求項１】
周波数帯処理方法であって、前記方法は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記方法は、
基地局により、前記端末のキャリアアグリゲーションＣＡ能力情報を取得する段階と、
前記基地局により、前記ＣＡ能力情報に基づいて、前記端末のアクセス周波数帯が前記プライマリ周波数帯から前記セカンダリ周波数帯に切り換えられると決定する段階と、
前記基地局により、切り換え命令を前記端末に送信する段階であって、前記切り換え命令は、前記プライマリ周波数帯から前記セカンダリ周波数帯に前記アクセス周波数帯を切り換えるよう前記端末に命令するために用いられる、段階と
を備える方法。
【請求項２】
前記基地局により、構成情報を前記端末に送信する段階であって、前記構成情報は、まず前記セカンダリ周波数帯から前記ネットワークにアクセスするよう前記端末に命令するために用いられる、段階をさらに備える、請求項１に記載の方法。
【請求項３】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項２に記載の方法。
【請求項４】
前記基地局により、前記ＣＡ能力情報に基づいて、前記端末のアクセス周波数帯が前記プライマリ周波数帯から前記セカンダリ周波数帯に切り換えられると決定する前記段階は、
前記基地局により、前記ＣＡ能力情報に基づいて、前記プライマリ周波数帯に対応する集約可能な周波数帯の組み合わせと、前記セカンダリ周波数帯に対応する集約可能な周波数帯の組み合わせとを取得する段階と、
前記基地局により、前記プライマリ周波数帯に対応する前記集約可能な周波数帯の組み合わせと、前記セカンダリ周波数帯に対応する前記集約可能な周波数帯の組み合わせとに基づいて、前記端末の前記アクセス周波数帯が前記プライマリ周波数帯から前記セカンダリ周波数帯に切り換えられると決定する段階と
を有する、請求項１に記載の方法。
【請求項５】
周波数帯処理方法であって、前記方法は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記方法は、
基地局により、構成情報を生成する段階であって、前記構成情報は、まず前記セカンダリ周波数帯から前記ネットワークにアクセスするよう前記端末に命令するために用いられる、段階と、
前記基地局により、前記構成情報を前記端末に送信する段階と
を備える方法。
【請求項６】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項５に記載の方法。
【請求項７】
周波数帯処理方法であって、前記方法は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記方法は、
前記端末により、基地局により送信された構成情報を受信する段階であって、前記構成情報は、まず前記セカンダリ周波数帯から前記ネットワークにアクセスするよう前記端末に命令するために用いられる、段階と、
前記端末により、前記構成情報に基づいて、前記セカンダリ周波数帯から前記ネットワークにアクセスする段階と
を備える方法。
【請求項８】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項７に記載の方法。
【請求項９】
周波数帯処理装置であって、前記装置は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記装置は、
前記端末のキャリアアグリゲーションＣＡ能力情報を取得するように構成される取得モジュールと、
前記ＣＡ能力情報に基づいて、前記端末のアクセス周波数帯が前記プライマリ周波数帯から前記セカンダリ周波数帯に切り換えられると決定するように構成される判定モジュールと、
切り換え命令を前記端末に送信するように構成される送信モジュールであって、前記切り換え命令は、前記プライマリ周波数帯から前記セカンダリ周波数帯に前記アクセス周波数帯を切り換えるよう前記端末に命令するために用いられる、送信モジュールと
を備える装置。
【請求項１０】
前記送信モジュールは、構成情報を前記端末に送信するようにさらに構成され、前記構成情報は、まず前記セカンダリ周波数帯から前記ネットワークにアクセスするよう前記端末に命令するために用いられる、請求項９に記載の装置。
【請求項１１】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項１０に記載の装置。
【請求項１２】
前記判定モジュールは、具体的には、前記ＣＡ能力情報に基づいて、前記プライマリ周波数帯に対応する集約可能な周波数帯の組み合わせと、前記セカンダリ周波数帯に対応する集約可能な周波数帯の組み合わせとを取得し、前記プライマリ周波数帯に対応する前記集約可能な周波数帯の組み合わせと、前記セカンダリ周波数帯に対応する前記集約可能な周波数帯の組み合わせとに基づいて、前記端末の前記アクセス周波数帯が前記プライマリ周波数帯から前記セカンダリ周波数帯に切り換えられると決定するように構成される、請求項９に記載の装置。
【請求項１３】
周波数帯処理装置であって、前記装置は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記装置は、
構成情報を生成するように構成される生成モジュールであって、前記構成情報は、まず前記セカンダリ周波数帯から前記ネットワークにアクセスするよう前記端末に命令するために用いられる、生成モジュールと、
前記構成情報を前記端末に送信するように構成される送信モジュールと
を備える装置。
【請求項１４】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項１３に記載の装置。
【請求項１５】
周波数帯処理装置であって、前記装置は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記装置は、
基地局により送信された構成情報を受信するように構成される受信モジュールであって、前記構成情報は、まず前記セカンダリ周波数帯から前記ネットワークにアクセスするよう前記端末に命令するために用いられる、受信モジュールと、
前記構成情報に基づいて、前記セカンダリ周波数帯から前記ネットワークにアクセスするように構成されるアクセスモジュールと
を備える装置。
【請求項１６】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項１５に記載の装置。
【発明の詳細な説明】
【技術分野】
【０００１】
本発明は、無線通信技術、特に、周波数帯処理方法及び装置に関する。
【背景技術】
【０００２】
モバイル通信技術及び広帯域無線アクセス技術の発展に伴い、モバイル通信サービス及び広帯域無線アクセスサービスが互いに密接に関連している。モバイル通信の高帯域幅化に対するニーズを満たし、かつ、ブロードバンド通信のモビリティの課題に対処すべく、キャリアアグリゲーション（Ｃａｒｒｉｅｒ  Ａｇｇｒｅｇａｔｉｏｎ、ＣＡ）技術がモバイル通信システムに適用されている。
【０００３】
ＣＡ技術では、複数の連続又は非連続的コンポーネントキャリア（Ｃｏｍｐｏｎｅｎｔ  Ｃａｒｒｉｅｒ、ＣＣ）を集約することにより、より広い帯域幅が得られ、その結果、システムのデータ伝送レート及びシステムのスループットが改善され、事業者の非連続的スペクトル問題も解決される。
【０００４】
ＣＡ技術は、ＣＡ能力を有する端末が複数の集約されたキャリアを用いてデータを伝送することを可能にする。複数の集約されたＣＣは、プライマリコンポーネントキャリア（Ｐｒｉｍａｒｙ  Ｃｏｍｐｏｎｅｎｔ  Ｃａｒｒｉｅｒ、ＰＣＣ）及び少なくとも１つのセカンダリコンポーネントキャリア（Ｓｅｃｏｎｄａｒｙ  Ｃｏｍｐｏｎｅｎｔ  Ｃａｒｒｉｅｒ、ＳＣＣ）を含む。ＣＡ能力を有する端末は、端末のＣＡ能力を報告し、その結果、ネットワーク側では、端末のＣＡ能力に基づいて、端末用のＳＣＣを選択する。
【０００５】
しかしながら、マルチバンドオーバラッピングのシナリオにおいて、端末のＣＡ能力は、通常、限定が課され、ＣＡ又は最適なＣＡの組み合わせを実装することができない可能性がある。
【発明の概要】
【０００６】
本発明の実施形態は、周波数帯処理方法及び装置を提供し、これにより、より良いＣＡ効果を達成する。
【０００７】
本発明の実施形態の第１態様は、周波数帯処理方法を提供し、方法は、周波数帯オーバーラッピング型の通信システムに適用され、通信システムにおいて、プライマリ周波数帯及びセカンダリ周波数帯が端末のサービングセルのために構成され、端末は、初めにプライマリ周波数帯からネットワークにアクセスし、方法は、
基地局により、端末のＣＡ能力情報を取得する段階と、基地局により、ＣＡ能力情報に基づいて、端末のアクセス周波数帯がプライマリ周波数帯からセカンダリ周波数帯に切り換えられると決定する段階と、基地局により、切り換え命令を端末に送信する段階であって、切り換え命令は、プライマリ周波数帯からセカンダリ周波数帯にアクセス周波数帯を切り換えるよう端末に命令するために用いられる、段階とを含む。
【０００８】
任意で、方法は、
基地局により、構成情報を端末に送信する段階であって、構成情報は、まずセカンダリ周波数帯からネットワークにアクセスするよう端末に命令するために用いられる、段階をさらに含む。
【０００９】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【００１０】
任意で、基地局により、ＣＡ能力情報に基づいて、端末のアクセス周波数帯がプライマリ周波数帯からセカンダリ周波数帯に切り換えられると決定する段階は、
基地局により、ＣＡ能力情報に基づいて、プライマリ周波数帯に対応する集約可能な周波数帯の組み合わせと、セカンダリ周波数帯に対応する集約可能な周波数帯の組み合わせとを取得する段階と、
基地局により、プライマリ周波数帯に対応する集約可能な周波数帯の組み合わせと、セカンダリ周波数帯に対応する集約可能な周波数帯の組み合わせとに基づいて、端末のアクセス周波数帯がプライマリ周波数帯からセカンダリ周波数帯に切り換えられると決定する段階と
を含む。
【００１１】
基地局により、プライマリ周波数帯に対応する集約可能な周波数帯の組み合わせと、セカンダリ周波数帯に対応する集約可能な周波数帯の組み合わせとに基づいて、端末のアクセス周波数帯がプライマリ周波数帯からセカンダリ周波数帯に切り換えられると決定する段階は、セカンダリ周波数帯に対応する集約可能な周波数帯の組み合わせが、プライマリ周波数帯に対応する集約可能な周波数帯の組み合わせよりも優れている場合、基地局により、端末のアクセス周波数帯がプライマリ周波数帯からセカンダリ周波数帯に切り換えられると決定してよい。
【００１２】
本発明の実施形態の第２態様は、周波数帯処理方法を提供し、方法は、周波数帯オーバーラッピング型の通信システムに適用され、通信システムにおいて、プライマリ周波数帯及びセカンダリ周波数帯が端末のサービングセルのために構成され、端末は、初めにプライマリ周波数帯からネットワークにアクセスし、方法は、
端末により、基地局により送信された切り換え命令を受信する段階であって、切り換え命令は、プライマリ周波数帯からセカンダリ周波数帯にアクセス周波数帯を切り換えるよう端末に命令するために用いられる、段階と、
端末により、切り換え命令に従って、プライマリ周波数帯からセカンダリ周波数帯にアクセス周波数帯を切り換える段階と
を含む。
【００１３】
任意で、方法は、
端末により、基地局により送信された構成情報を受信する段階であって、構成情報は、まずセカンダリ周波数帯からネットワークにアクセスするよう端末に命令するために用いられる、段階と、
端末により、次回ネットワークにアクセスするときに、構成情報に基づいて、セカンダリ周波数帯からネットワークにアクセスする段階と
をさらに含む。
【００１４】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【００１５】
本発明の実施形態の第３態様は、周波数帯処理方法を提供し、方法は、周波数帯オーバーラッピング型の通信システムに適用され、通信システムにおいて、プライマリ周波数帯及びセカンダリ周波数帯が端末のサービングセルのために構成され、端末は、初めにプライマリ周波数帯からネットワークにアクセスし、方法は、
基地局により、構成情報を生成する段階であって、構成情報は、まずセカンダリ周波数帯からネットワークにアクセスするよう端末に命令するために用いられる、段階と、
基地局により、構成情報を端末に送信する段階と
を含む。
【００１６】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【００１７】
本発明の実施形態の第４態様は、周波数帯処理方法を提供し、方法は、周波数帯オーバーラッピング型の通信システムに適用され、通信システムにおいて、プライマリ周波数帯及びセカンダリ周波数帯が端末のサービングセルのために構成され、端末は、初めにプライマリ周波数帯からネットワークにアクセスし、方法は、
端末により、基地局により送信された構成情報を受信する段階であって、構成情報は、まずセカンダリ周波数帯からネットワークにアクセスするよう端末に命令するために用いられる、段階と、
端末により、構成情報に基づいて、セカンダリ周波数帯からネットワークにアクセスする段階と
を含む。
【００１８】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【００１９】
本発明の実施形態の第５態様は、周波数帯処理装置を提供し、装置は、第１態様及び第１態様の実施例のうちのいずれか１つにおいて提供される前述の方法を実行するように構成されるモジュール又は手段（ｍｅａｎｓ）を含む。
【００２０】
本発明の実施形態の第６態様は、周波数帯処理装置を提供し、装置は、第２態様及び第２態様の実施例において提供される前述の方法を実行するように構成されるモジュール又は手段（ｍｅａｎｓ）を含む。
【００２１】
本発明の実施形態の第７態様は、周波数帯処理装置を提供し、装置は、第３態様及び第３態様の実施例において提供される前述の方法を実行するように構成されるモジュール又は手段（ｍｅａｎｓ）を含む。
【００２２】
本発明の実施形態の第８態様は、周波数帯処理装置を提供し、装置は、第４態様及び第４態様の実施例において提供される前述の方法を実行するように構成されるモジュール又は手段（ｍｅａｎｓ）を含む。
【００２３】
本発明の実施形態の第９態様は、周波数帯処理装置を提供し、装置は、プロセッサ及びメモリを含み、メモリは、プログラムを格納するように構成され、プロセッサは、メモリに格納されたプログラムを呼び出して、本願の第１態様において提供される方法を実行する。
【００２４】
本発明の実施形態の第１０態様は、周波数帯処理装置を提供し、装置は、プロセッサ及びメモリを含み、メモリは、プログラムを格納するように構成され、プロセッサは、メモリに格納されたプログラムを呼び出して、本願の第２態様において提供される方法を実行する。
【００２５】
本発明の実施形態の第１１態様は、周波数帯処理装置を提供し、装置は、プロセッサ及びメモリを含み、メモリは、プログラムを格納するように構成され、プロセッサは、メモリに格納されたプログラムを呼び出して、本願の第３態様において提供される方法を実行する。
【００２６】
本発明の実施形態の第１２態様は、周波数帯処理装置を提供し、装置は、プロセッサ及びメモリを含み、メモリは、プログラムを格納するように構成され、プロセッサは、メモリに格納されたプログラムを呼び出して、本願の第４態様において提供される方法を実行する。
【００２７】
本発明の実施形態の第１３態様は、周波数帯処理装置を提供し、第１態様に係る前述の方法を実行するように構成される少なくとも１つの処理要素（又はチップ）を含む。
【００２８】
本発明の実施形態の第１４態様は、周波数帯処理装置を提供し、第２態様に係る前述の方法を実行するように構成される少なくとも１つの処理要素（又はチップ）を含む。
【００２９】
本発明の実施形態の第１５態様は、周波数帯処理装置を提供し、第３態様に係る前述の方法を実行するように構成される少なくとも１つの処理要素（又はチップ）を含む。
【００３０】
本発明の実施形態の第１６態様は、周波数帯処理装置を提供し、第４態様に係る前述の方法を実行するように構成される少なくとも１つの処理要素（又はチップ）を含む。
【００３１】
本発明の実施形態の第１７態様は、プログラムを提供し、プロセッサにより実行される場合、プログラムは、第１態様に係る前述の方法を実行するために用いられる。
【００３２】
本発明の実施形態の第１８態様は、コンピュータ可読記憶媒体などのプログラム製品を提供し、プログラム製品は、第１７態様に係るプログラムを含む。
【００３３】
本発明の実施形態の第１９態様は、プログラムを提供し、プロセッサにより実行される場合、プログラムは、第２態様に係る前述の方法を実行するために用いられる。
【００３４】
本発明の実施形態の第２０態様は、コンピュータ可読記憶媒体などのプログラム製品を提供し、プログラム製品は、第１９態様に係るプログラムを含む。
【００３５】
本発明の実施形態の第２１態様は、プログラムを提供し、プロセッサにより実行される場合、プログラムは、第３態様に係る前述の方法を実行するために用いられる。
【００３６】
本発明の実施形態の第２２態様は、コンピュータ可読記憶媒体などのプログラム製品を提供し、プログラム製品は、第２１態様に係るプログラムを含む。
【００３７】
本発明の実施形態の第２３態様は、プログラムを提供し、プロセッサにより実行される場合、プログラムは、第４態様に係る前述の方法を実行するために用いられる。
【００３８】
本発明の実施形態の第２４態様は、コンピュータ可読記憶媒体などのプログラム製品を提供し、プログラム製品は、第２３態様に係るプログラムを含む。
【００３９】
前述の態様では、基地局は、端末のＣＡ能力情報に基づいて、端末のアクセス周波数帯がプライマリ周波数帯からセカンダリ周波数帯に切り換えられると決定し、切り換え命令を端末に送信し、その結果、端末は、切り換え命令に従って、プライマリ周波数帯からセカンダリ周波数帯にアクセス周波数帯を切り換える。切り換えた後に、端末は、より良い周波数帯の組み合わせを取得でき、かつ、より良いＣＡ効果を達成でき、その結果、より広い帯域幅を取得することができ、ユーザエクスペリエンスを向上させる。
【図面の簡単な説明】
【００４０】
本発明の実施形態における技術的解決手段又は先行技術をより明確に説明するために、以下では、実施形態又は先行技術を説明するために必要な添付図面を簡潔に説明する。以下の説明における添付図面は、本発明の一部の実施形態を示すものであり、当業者であれば、創造的な取り組みなしにこれらの添付図面から他の図面を導き出し得ることが明らかである。
【００４１】
【図１】通信システムの構成図である。
【００４２】
【図２】ＣＡシナリオの概略図である。
【００４３】
【図３】帯域内の連続的ＣＡの概略図である。
【００４４】
【図４】帯域間の非連続的ＣＡの概略図である。
【００４５】
【図５】帯域間ＣＡの概略図である。
【００４６】
【図６】周波数帯オーバーラッピングについての概略図である。
【００４７】
【図７】本発明の実施形態に係る周波数帯処理方法の概略的フローチャートである。
【００４８】
【図８】本発明の実施形態に係る別の周波数帯処理方法の概略的フローチャートである。
【００４９】
【図９】本発明の実施形態に係る周波数帯処理装置の概略構造図である。
【００５０】
【図１０】本発明の実施形態に係る別の周波数帯処理装置の概略構造図である。
【００５１】
【図１１】本発明の実施形態に係る別の周波数帯処理装置の概略構造図である。
【００５２】
【図１２】本発明の実施形態に係る別の周波数帯処理装置の概略構造図である。
【００５３】
【図１３】本発明の実施形態に係る基地局の概略構造図である。
【００５４】
【図１４】本発明の実施形態に係る端末の概略構造図である。
【発明を実施するための形態】
【００５５】
以下では、当業者が理解しやすくするために、本発明の実施形態における一部の用語を説明する。
【００５６】
基地局は、無線アクセスネットワーク（Ｒａｄｉｏ  Ａｃｃｅｓｓ  Ｎｅｔｗｏｒｋ、ＲＡＮ）デバイスとも称され、端末を無線ネットワークに接続するデバイスである。基地局は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ（登録商標））内、又は、符号分割多重アクセス（Ｃｏｄｅ  Ｄｉｖｉｓｉｏｎ  Ｍｕｌｔｉｐｌｅ  Ａｃｃｅｓｓ、略してＣＤＭＡ）システム内のベーストランシーバ基地局（Ｂａｓｅ  Ｔｒａｎｓｃｅｉｖｅｒ  Ｓｔａｔｉｏｎ、略してＢＴＳ）であってよい、又は、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））システム内のノードＢ（ＮｏｄｅＢ、略してＮＢ）であってよい、又は、ロングタームエボリューション（Ｌｏｎｇ  Ｔｅｒｍ  Ｅｖｏｌｕｔｉｏｎ、略してＬＴＥ）システム内の進化型ノードＢ（Ｅｖｏｌｖｅｄ  Ｎｏｄｅ  Ｂ、略してｅＮＢ又はｅＮｏｄｅＢ）、リレーノード、アクセスポイント、又は、将来の５Ｇネットワーク内の基地局などであってよい。これは、本明細書において限定されるものではない。
【００５７】
端末は、無線端末又は有線端末であってよい。無線端末は、音声及び／又は他のサービスデータ接続をユーザに提供するデバイス、無線接続機能を有するハンドヘルドデバイス、又は、無線モデムに接続される別の処理デバイスであってよい。無線端末は、無線アクセスネットワーク（Ｒａｄｉｏ  Ａｃｃｅｓｓ  Ｎｅｔｗｏｒｋ、略してＲＡＮ）を通じて、１又は複数のコアネットワークと通信してよい。無線端末は、モバイルフォン（「セルラ」フォンとも称される）などのモバイル端末であってよく、モバイル端末を有するコンピュータは、例えば、ポータブル、ポケットサイズ、ハンドヘルド、コンピュータ内蔵又は車載モバイル装置であってよく、無線アクセスネットワークと音声及び／又はデータを交換する。例えば、無線端末は、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話セット、セッションイニシエーションプロトコル（Ｓｅｓｓｉｏｎ  Ｉｎｉｔｉａｔｉｏｎ  Ｐｒｏｔｏｃｏｌ、略してＳＩＰ）電話、ワイヤレスローカルループ（Ｗｉｒｅｌｅｓｓ  Ｌｏｃａｌ  Ｌｏｏｐ、略してＷＬＬ）局又はパーソナルデジタルアシスタント（Ｐｅｒｓｏｎａｌ  Ｄｉｇｉｔａｌ  Ａｓｓｉｓｔａｎｔ、略してＰＤＡ）などのデバイスであってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）又はユーザデバイス（Ｕｓｅｒ  Ｄｅｖｉｃｅ又はＵｓｅｒ  Ｅｑｕｉｐｍｅｎｔ）とも称されてよい。これは、本明細書において限定されるものではない。
【００５８】
本発明の実施形態では、「複数の」は、２又は２より多いことを意味する。「及び／又は」は、関連する対象の相関関係を表現し、３つの関係が存在し得ることを表す。例えば、Ａ及び／又はＢは、Ａのみが存在する、Ａ及びＢの両方が存在する、及び、Ｂのみが存在するという３つのケースを表し得る。記号「／」は、概して、当該記号の前後にある関連する対象間における「又は」の関係を示す。
【００５９】
図１は、通信システムの構成図である。図１に示されるように、通信システムは、コアネットワーク（Ｃｏｒｅ  ｎｅｔｗｏｒｋ、ＣＮ）及び無線アクセスネットワーク（Ｒａｄｉｏ  Ａｃｃｅｓｓ  Ｎｅｔｗｏｒｋ、ＲＡＮ）を含み、ＣＮは、ベアラネットワーク（転送ネットワークとも称される）を通じてＲＡＮと通信し得る。例えば、ベアラネットワークは、光ファイバ及びルータなどのデバイスを含む。端末は、基地局を通じてＲＡＮにアクセスし、ＣＮデバイスを通じて外部のネットワークと通信する。
【００６０】
図２は、ＣＡシナリオの概略図である。図２に示されるように、端末は、セル１（ｃｅｌｌ  １）内の無線ネットワークにアクセスし、端末は、ＣＡをサポートし、セル１にサービス提供する基地局にＣＡ能力を報告し得る端末である。セル１にサービス提供する基地局は、端末により報告されたＣＡ能力に基づいて、端末用のセカンダリセルとしてセル２を構成し得る。セル１及びセル２は、一緒にデータを端末に伝送する。セル１は、プライマリセルであり、ＰＣＣに対応し、セル２は、セカンダリセルであり、ＳＣＣに対応する。これは、２つのＣＣが説明のための例として用いられるＣＡシナリオである。実際には、より多くのＣＣが端末にサービス提供するために集約されてよい。集約されたＣＣの周波数帯における分布に基づいて、ＣＡは、帯域内アグリゲーション（Ｉｎｔｒａ‐ｂａｎｄ  ＣＡ）と帯域間アグリゲーション（Ｉｎｔｅｒ‐ｂａｎｄ  ＣＡ）とに分類されてよい。帯域内ＣＡは、連続的ＣＡと非連続的ＣＡに分類される。
【００６１】
図３から図５を参照すると、図３は、帯域内の連続的ＣＡの概略図である。図３に示されるように、同一の周波数帯（帯域１）内の連続するキャリア（キャリア１及びキャリア２）は、端末に対してより大きい伝送帯域幅を提供するために集約され得る。図４は、帯域間の非連続的ＣＡの概略図である。図４に示されるように、同一の周波数帯（帯域１）内の非連続的キャリア（キャリア１及びキャリア３）は、端末に対してより大きい伝送帯域幅を提供するために集約され得る。図５は、帯域間ＣＡの概略図である。図５に示されるように、異なる周波数帯（帯域１及び帯域２）内のキャリア（キャリア１及びキャリア２）は、端末に対してより大きい伝送帯域幅を提供するために集約され得る。前述の添付図面のすべてにおいて、「ｆ」は周波数を表す。
【００６２】
現在、周波数帯オーバーラッピングのシナリオは、ネットワーク内に存在する、すなわち、同じ物理周波数が異なる周波数帯に配置される。これは、マルチバンドオーバラッピングのシナリオとも称される。図６を参照すると、図６では、周波数帯Ｂａ及び周波数帯Ｂｂが周波数において重なり合う領域を有する。複数の周波数帯は、周波数がこの領域にあるセルのために構成され得る。例えば、周波数帯Ｂａ及び周波数帯Ｂｂが構成される。一方の周波数帯がプライマリ周波数帯であり、他方の周波数帯がセカンダリ周波数帯であり、プライマリ周波数帯におけるセルの周波数は、セカンダリ周波数帯におけるセルの周波数とは異なる。例えば、周波数帯Ｂａがプライマリ周波数帯であり、周波数帯Ｂｂがセカンダリ周波数帯である。図６において、「ｆ」は周波数を表す。
【００６３】
現在、端末は、まずプライマリ周波数帯からネットワークにアクセスする。プライマリ周波数帯及びセカンダリ周波数帯における端末のＣＡ能力は異なり得る。例えば、以下のシナリオがある。
【００６４】
（１）プライマリ周波数帯は、ＣＡをサポートしていないが、セカンダリ周波数帯がＣＡをサポートしている。
【００６５】
（２）プライマリ周波数帯は２ＣＣアグリゲーション（略して２ＣＣ）をサポートしており、セカンダリ周波数帯は３ＣＣアグリゲーション（略して３ＣＣ）をサポートしている。
【００６６】
（３）プライマリ周波数帯はアップリンク（ｕｐｌｉｎｋ、略してＵＬ）２ＣＣをサポートしていないが、セカンダリ周波数帯がＵＬ  ２ＣＣをサポートしている。
【００６７】
（４）プライマリ周波数帯はシステム間のアグリゲーションをサポートしていないが、セカンダリ周波数帯がシステム間のアグリゲーションをサポートしている。システム間のアグリゲーションについての複数のケース、例えば、周波数分割複信（ｆｒｅｑｕｅｎｃｙ  ｄｉｖｉｓｉｏｎ  ｄｕｐｌｅｘ、略してＦＤＤ）と時分割複信（ｔｉｍｅ  ｄｉｖｉｓｉｏｎ  ｄｕｐｌｅｘ、略してＴＤＤ）との間のアグリゲーションがあってよい。これは、本明細書において限定されるものではない。
【００６８】
プライマリ周波数帯及びセカンダリ周波数帯における端末のＣＡ能力の差及び非対称性は、ＣＡ効果に影響を与え得る。例えば、プライマリ周波数帯ＢａはＣＡをサポートしていないが、セカンダリ周波数帯ＢｂがＣＡをサポートしているときに、端末が、まずプライマリ周波数帯Ｂａからネットワークにアクセスする場合、ＣＡを実行できず、ユーザエクスペリエンスが影響を受ける。別の例に関して、プライマリ周波数帯Ｂａが２ＣＣをサポートしており、セカンダリ周波数帯Ｂｂが３ＣＣをサポートしているときに、端末が、まずプライマリ周波数帯Ｂａからネットワークにアクセスする場合、２ＣＣのみを実行でき、ＣＡ能力が、所望の効果を達成するために十分に利用されていない。さらに別の例に関して、プライマリ周波数帯ＢａはＵＬ  ２ＣＣをサポートしていないが、セカンダリ周波数帯ＢｂがＵＬ  ２ＣＣをサポートしているときに、端末が、まずプライマリ周波数帯Ｂａからネットワークにアクセスする場合、ＵＬ  ２ＣＣを実行できないことがあり、ＣＡ能力が、所望の効果を達成するために十分に利用されていない。さらに別の例に関して、プライマリ周波数帯Ｂａはシステム間のアグリゲーションをサポートしていないが、セカンダリ周波数帯Ｂｂがシステム間のアグリゲーションをサポートしているときに、端末が、まずプライマリ周波数帯Ｂａからネットワークにアクセスする場合、システム間のアグリゲーションを実行できず、ユーザエクスペリエンスが影響を受ける。
【００６９】
そのようなケースを考慮して、本発明の実施形態は、周波数帯処理方法を提供し、端末がより適切な周波数帯からネットワークにアクセスすることを可能にし、それにより、ユーザエクスペリエンスを向上させる。
【００７０】
周波数帯処理方法は、主に、周波数帯オーバーラッピング型の通信システムに適用される。通信システムにおいて、プライマリ周波数帯及びセカンダリ周波数帯は、端末のサービングセルのために構成され、端末は、初めにプライマリ周波数帯からネットワークにアクセスする。
【００７１】
図７は、本発明の実施形態に係る周波数帯処理方法の概略的フローチャートである。図７に示されるように、方法は、以下の段階を含む。
【００７２】
Ｓ７０１．基地局は、端末のＣＡ能力情報を取得する。
【００７３】
基地局は、端末のＣＡ能力情報を端末から取得してよい、又は、端末ＣＡ能力情報をＣＮから取得してよい。例えば、端末は、端末のＣＡ能力情報を基地局に事前に報告してよい、又は、基地局が端末のＣＡ能力情報を必要とする場合に、基地局が、端末に問い合わせてよく、その後、端末が、端末のＣＡ能力情報を基地局に報告する。ＣＡ能力情報が端末により報告された場合、端末は、情報要素「サポートされている帯域の組み合わせ（ｓｕｐｐｏｒｔｅｄＢａｎｄＣｏｍｂｉｎａｔｉｏｎ）」を用いることにより、端末のＣＡ能力情報を基地局に報告してよい。端末のＣＡ能力情報がＣＮから取得された場合、端末のＣＡ能力情報は、端末のコンテキストを用いることにより、ＣＮデバイスにより基地局に送信されてよい。
【００７４】
Ｓ７０２．基地局は、ＣＡ能力情報に基づいて、端末のアクセス周波数帯がプライマリ周波数帯からセカンダリ周波数帯に切り換えられると決定する。
【００７５】
端末により報告されたＣＡ能力情報に基づいて、基地局は、端末によりサポートされているＣＡ周波数帯の組み合わせを認識してよい。さらに、ＣＡ構成及び帯域幅の組み合わせセット（ＣＡ  ｃｏｎｆｉｇｕｒａｔｉｏｎｓ  ａｎｄ  ｂａｎｄｗｉｄｔｈ  ｃｏｍｂｉｎａｔｉｏｎ  ｓｅｔｓ）は、基地局に格納される。基地局は、ＣＡ構成及び帯域幅の組み合わせセットに基づいて、プライマリ周波数帯において端末によりサポートすることができるＣＡ周波数帯の組み合わせと、セカンダリ周波数帯において端末によりサポートすることができるＣＡ周波数帯の組み合わせを判定してよい。プライマリ周波数帯において端末によりサポートすることができるＣＡ周波数帯の組み合わせは、どの周波数帯がより良いＣＡ効果を達成できるかを判定すべく、セカンダリ周波数帯において端末によりサポートすることができるＣＡ周波数帯の組み合わせと比較される。プライマリ周波数帯がより良いＣＡ効果を達成できる場合、切り換えが行われる必要はなく、セカンダリ周波数帯がより良いＣＡ効果を達成できる場合、端末のアクセス周波数帯がプライマリ周波数帯からセカンダリ周波数帯に切り換えられると決定する。前述のシナリオを例として用いると、より広い帯域幅が、セカンダリ周波数帯によりサポートされている周波数帯アグリゲーションを通じて取得される場合、端末のアクセス周波数帯がプライマリ周波数帯からセカンダリ周波数帯に切り換えられると決定される。
【００７６】
Ｓ７０３．基地局は、切り換え命令を端末に送信し、切り換え命令は、プライマリ周波数帯からセカンダリ周波数帯にアクセス周波数帯を切り換えるよう端末に命令するために用いられる。
【００７７】
Ｓ７０４．端末は、基地局により送信された切り換え命令を受信し、切り換え命令に従って、セカンダリ周波数帯からセルにアクセスする。
【００７８】
プライマリ周波数帯からセカンダリ周波数帯への前述の切り換えは、セル内のスイッチングを通じて実施されてよく、切り換え命令は、無線リソース制御接続再構成（ｒａｄｉｏ  ｒｅｓｏｕｒｃｅ  ｃｏｎｔｒｏｌ、  ＲＲＣ、  ｃｏｎｎｅｃｔｉｏｎ  ｒｅｃｏｎｆｉｇｕｒａｔｉｏｎ）メッセージであってよく、ＲＲＣ接続再構成メッセージは、セカンダリ周波数帯におけるセルの周波数を保持し、その結果、端末は、セカンダリ周波数帯内の周波数においてセルに再アクセスする。さらに、ＲＲＣ接続再構成メッセージは、ＳＣＣに関する情報をさらに保持してよく、これにより、集約されるＳＣＣを端末に通知する。
【００７９】
端末がセカンダリ周波数帯からセルにアクセスした後に、基地局は、セカンダリ周波数帯に対応する集約可能な周波数帯の組み合わせに基づいて、ＣＡを実行してよく、これにより、より広い帯域幅を取得する。
【００８０】
本実施形態では、基地局は、端末のＣＡ能力情報に基づいて、端末のアクセス周波数帯がプライマリ周波数帯からセカンダリ周波数帯に切り換えられると決定し、切り換え命令を端末に送信し、その結果、端末は、切り換え命令に従って、プライマリ周波数帯からセカンダリ周波数帯にアクセス周波数帯を切り換える。切り換えた後に、端末は、より良い周波数帯の組み合わせを取得でき、かつ、より良いＣＡ効果を達成でき、その結果、より広い帯域幅を取得することができ、ユーザエクスペリエンスを向上させる。
【００８１】
任意で、段階Ｓ７０２の前に、基地局は、まず、端末の現在のアクセス周波数帯を判定してよい。現在のアクセス周波数帯がプライマリ周波数帯である場合、段階Ｓ７０２及びＳ７０３が行われ、端末の現在のアクセス周波数帯がセカンダリ周波数帯である場合、段階Ｓ７０２及びＳ７０３が行われる必要はない。
【００８２】
さらに、基地局により、ＣＡ能力情報に基づいて、端末のアクセス周波数帯がプライマリ周波数帯からセカンダリ周波数帯に切り換えられると決定する段階は、基地局により、ＣＡ能力情報に基づいて、プライマリ周波数帯に対応する集約可能な周波数帯の組み合わせと、セカンダリ周波数帯に対応する集約可能な周波数帯の組み合わせとを取得し、基地局により、プライマリ周波数帯に対応する集約可能な周波数帯の組み合わせと、セカンダリ周波数帯に対応する集約可能な周波数帯の組み合わせとに基づいて、端末のアクセス周波数帯がプライマリ周波数帯からセカンダリ周波数帯に切り換えられると決定してよい。
【００８３】
基地局により、プライマリ周波数帯に対応する集約可能な周波数帯の組み合わせと、セカンダリ周波数帯に対応する集約可能な周波数帯の組み合わせとに基づいて、端末のアクセス周波数帯がプライマリ周波数帯からセカンダリ周波数帯に切り換えられると決定する段階は、セカンダリ周波数帯に対応する集約可能な周波数帯の組み合わせが、プライマリ周波数帯に対応する集約可能な周波数帯の組み合わせよりも優れている場合、基地局により、端末のアクセス周波数帯がプライマリ周波数帯からセカンダリ周波数帯に切り換えられると決定してよい。
【００８４】
プライマリ周波数帯に対応する集約可能な周波数帯の組み合わせが、プライマリ周波数帯において端末によりサポートすることができるＣＡ周波数帯の組み合わせであり、セカンダリ周波数帯に対応する集約可能な周波数帯の組み合わせが、セカンダリ周波数帯において端末によりサポートすることができるＣＡ周波数帯の組み合わせであることに留意されたい。プライマリ周波数帯において端末によりサポートすることができるＣＡ周波数帯の組み合わせは、セカンダリ周波数帯において端末によりサポートすることができるＣＡ周波数帯の組み合わせと比較される。セカンダリ周波数帯において端末によりサポートすることができるＣＡ周波数帯の組み合わせが、より良いＣＡ効果を達成できる場合、例えば、より大きいシステム帯域幅を取得することができる場合、端末のアクセス周波数帯がプライマリ周波数帯からセカンダリ周波数帯に切り換えられると決定される。
【００８５】
プライマリ周波数帯に対応する集約可能な周波数帯の組み合わせよりも優れている周波数帯の組み合わせは、セカンダリ周波数帯に対応する集約可能な周波数帯の組み合わせの中に存在し得る。具体的には、集約可能な周波数帯の組み合わせにおける周波数帯の数、多入力多出力（ｍｕｌｔｉｐｌｅ‐ｉｎｐｕｔ  ｍｕｌｔｉｐｌｅ‐ｏｕｔｐｕｔ、略してＭＩＭＯ）レイヤの数又はアップリンクキャリアの数などに従って、どの周波数帯の組み合わせがより優れているかが判定され得る。例えば、より多くの周波数帯を有する周波数帯の組み合わせは、より少ない数の周波数帯を有する周波数帯の組み合わせよりも優れており、より多くのＭＩＭＯレイヤを有する周波数帯の組み合わせは、より少ない数のＭＩＭＯレイヤを有する周波数帯の組み合わせよりも優れており、より多くのアップリンクキャリアを有する周波数帯の組み合わせは、より少ない数のアップリンクキャリアを有する周波数帯の組み合わせよりも優れている、などである。これは、本明細書において限定されるものではない。
【００８６】
異なる事業者、異なる端末及び異なる適用シナリオに対して、プライマリ周波数帯及びセカンダリ周波数帯に対応する集約可能な周波数帯の組み合わせは異なっており、基地局は、端末により報告されたＣＡ能力情報に基づいて、プライマリ周波数帯に対応する周波数帯の組み合わせ及びセカンダリ周波数帯に対応する周波数帯の組み合わせを分析して、どの周波数帯の組み合わせが優れているかを認識することで、端末が切り換えを実行する必要があるか否かを判定することに留意されたい。例えば、以下のとおりである。
【００８７】
（ａ）事業者は、プライマリ周波数帯及びセカンダリ周波数帯において実行されるＣＡをサポートしているが、プライマリ周波数帯及びセカンダリ周波数帯において端末によりサポートされているマルチキャリアアグリゲーション能力（前述の４つの適用シナリオへの参照が行われてよい）が異なる。基地局により構成されるプライマリ周波数帯がＢａとして示され、かつ、基地局により構成されるセカンダリ周波数帯がＢｂとして示されると仮定すると、端末によりサポートされる集約可能な周波数帯の組み合わせは、Ｂａ＋Ｂｃ、Ｂｂ＋Ｂｃ及びＢｂ＋Ｂｃ＋Ｂｄを含む。Ｂｃ及びＢｄは、プライマリ周波数帯及びセカンダリ周波数帯以外の周波数帯である。
【００８８】
基地局は、端末により報告されたＣＡ能力情報に基づいて、端末がプライマリ周波数帯Ｂａからネットワークにアクセスする場合、最大で２つの周波数帯「Ｂａ＋Ｂｃ」のみのアグリゲーションを実行することができるが、端末がセカンダリ周波数帯Ｂｂからネットワークにアクセスする場合、最大で３つの周波数帯「Ｂｂ＋Ｂｃ＋Ｂｄ」のアグリゲーションを実行することができることを認識してよく、その結果、より広い帯域幅を提供することができ、ユーザエクスペリエンスがより良くなる。切り換えた後に、３つの周波数帯「Ｂｂ＋Ｂｃ＋Ｂｄ」のアグリゲーションを実行することができる。
【００８９】
（ｂ）プライマリ周波数帯及びセカンダリ周波数帯において端末によりサポートされているアップリンク及びダウンリンク能力が一貫性のないものである。例えば、セルのために構成されるプライマリ周波数帯がＢａとして示され、セルのために構成されるセカンダリ周波数帯がＢｂとして示されると仮定すると、端末によりサポートされる集約可能な周波数帯の組み合わせは、Ｂａ＋Ｂｃ及びＢｂ＋Ｂｃを含むが、「Ｂａ＋Ｂｃ」は、Ｂａ単独のアップリンクアグリゲーションをサポートすることしかできず、「Ｂｂ＋Ｂｃ」はＢｂ及びＢｃデュアルアップリンクアグリゲーションをサポートする。端末がプライマリ周波数帯Ｂａからネットワークにアクセスする場合、デュアルアップリンクアグリゲーションを実行することができない。
【００９０】
切り換えた後に、Ｂｂ及びＢｃデュアルアップリンクアグリゲーションを実行することができる。
【００９１】
複数のセカンダリ周波数帯がある場合、基地局は代替的に、各セカンダリ周波数帯に対応する集約可能な周波数帯の組み合わせに基づいて、どのセカンダリ周波数帯に、端末のアクセス周波数帯が切り換えられるかを判定してよいことに留意されたい。具体的には、最適な集約可能な周波数帯の組み合わせを含むセカンダリ周波数帯は、ネットワークにアクセスする端末のために選択される。同様に、集約可能な周波数帯の組み合わせにおける周波数帯の数、ＭＩＭＯレイヤの数又はアップリンクキャリアの数などに従って、どの集約可能な周波数帯の組み合わせが優れているかが判定され得る。例えば、より多くの周波数帯を有する周波数帯の組み合わせは、より少ない数の周波数帯を有する周波数帯の組み合わせよりも優れており、より多くのＭＩＭＯレイヤを有する周波数帯の組み合わせは、より少ない数のＭＩＭＯレイヤを有する周波数帯の組み合わせよりも優れており、より多くのアップリンクキャリアを有する周波数帯の組み合わせは、より少ない数のアップリンクキャリアを有する周波数帯の組み合わせよりも優れている、などである。これは、本明細書において限定されるものではない。
【００９２】
任意で、基地局は、周波数帯の組み合わせインジケーションを端末にさらに送信してよい。周波数帯の組み合わせインジケーションは、少なくとも１つの周波数帯の識別子を保持してよい。基地局は、周波数帯の組み合わせインジケーションに基づいて、周波数帯アグリゲーションを実行してよい。すなわち、基地局は、好ましい周波数帯の組み合わせを端末に通知してよく、端末は、当該組み合わせに基づいて、周波数帯アグリゲーションを実行する。例えば、基地局が周波数帯の組み合わせインジケーションにおいて「Ｂｂ＋Ｂｃ＋Ｂｄ」を示す場合、端末は、３つの周波数帯「Ｂｂ＋Ｂｃ＋Ｂｄ」のアグリゲーションを実行してよい。
【００９３】
周波数帯の組み合わせインジケーション及び前述の切り換え命令が同じメッセージ内に保持されてよい、又は、異なるメッセージ内に保持されてよいことに留意されたい。これは、本明細書において限定されるものではない。
【００９４】
さらに図７参照すると、任意で、基地局は、構成情報を端末にさらに送信して（Ｓ７０５）、まずセカンダリ周波数帯からセル（又はネットワーク）にアクセスするよう端末に命令してよい。言い換えれば、プライマリ周波数帯及びセカンダリ周波数帯の優先度が変更される。このように、端末が次回アクセスを実行するときに、現在選択されているポリシと一致するＣＡは、プライマリ周波数帯からセカンダリ周波数帯への切り換えを実行することなく実施され得る。好ましくは、構成情報は、端末が解放されたときに送信されてよく、例えば、構成情報は、アイドルモードモビリティ制御情報（Ｉｄｌｅ  Ｍｏｄｅ  Ｍｏｂｉｌｉｔｙ  ＣｏｎｔｒｏｌＩｎｆｏ、略してＩＭＭＣＩ）を用いることにより送信されてよい。
【００９５】
ＵＥが解放された場合、高優先度のセカンダリ周波数帯がＩＭＭＣＩ情報要素内に構成され、その結果、次回ネットワークにアクセスする場合、ＵＥは、セル内のスイッチングを実行する必要はないが、現在選択されているポリシと一致するキャリアアグリゲーションを選択する。
【００９６】
構成情報の内容は、構成情報がまずセカンダリ周波数帯からセルにアクセスするよう端末に命令するために用いられることができるのであれば、本明細書において限定されることはない。実施例では、構成情報は、プライマリ周波数帯におけるセルの周波数についての情報及び優先度と、セカンダリ周波数帯におけるセルの周波数についての情報及び優先度とを含んでよい。セカンダリ周波数帯におけるセルの周波数についての優先度は、プライマリ周波数帯におけるセルの周波数についての優先度よりも高い。周波数の情報は、周波数識別子であってよい。さらに、構成情報は、別の周波数をさらに含んでよく、別の周波数は、別の周波数帯におけるセルの周波数であってよい、又は、別のセルの周波数であってよい。これは、本明細書において限定されるものではない。
【００９７】
図８は、本発明の実施形態に係る別の周波数帯処理方法の概略的フローチャートである。図８に示されるように、方法は、以下の段階を含む。
【００９８】
Ｓ８０１．基地局は、構成情報を端末に送信し、構成情報は、まずセカンダリ周波数帯からネットワークにアクセスするよう端末に命令するために用いられる。
【００９９】
Ｓ８０２．端末は、基地局により送信された構成情報を受信する。
【０１００】
Ｓ８０３．端末は、次回ネットワークにアクセスするときに構成情報に基づいてセカンダリ周波数帯からネットワークにアクセスする。
【０１０１】
この方法では、基地局は、好ましい周波数帯を端末に通知し、端末は、その好ましい周波数帯を格納してよく、その結果、次回ネットワークにアクセスするときに、端末は、ネットワークにアクセスした後に切り換えを実行する代わりに、格納された最適化された周波数帯に基づいて、ネットワークに直接アクセスする。
【０１０２】
具体的な実施例では、端末がアイドル状態にある場合に、基地局は、構成情報を解放インジケーションメッセージに加えて、端末に送信してよい。
【０１０３】
任意で、ＵＥが解放された場合、高優先度のセカンダリ周波数帯がＩＭＭＣＩ情報要素内に構成され、その結果、次回ネットワークにアクセスする場合、ＵＥは、セル内のスイッチングを実行する必要はないが、現在選択されているポリシと一致するキャリアアグリゲーションを選択する。
【０１０４】
構成情報の内容は、構成情報がまずセカンダリ周波数帯からセルにアクセスするよう端末に命令するために用いられることができるのであれば、本明細書において限定されることはない。実施例では、構成情報は、プライマリ周波数帯におけるセルの周波数についての情報及び優先度と、セカンダリ周波数帯におけるセルの周波数についての情報及び優先度とを含んでよい。セカンダリ周波数帯におけるセルの周波数についての優先度は、プライマリ周波数帯におけるセルの周波数についての優先度よりも高い。周波数の情報は、周波数識別子であってよい。さらに、構成情報は、別の周波数をさらに含んでよく、別の周波数は、別の周波数帯におけるセルの周波数であってよい、又は、別のセルの周波数であってよい。これは、本明細書において限定されるものではない。構成情報を受信した後に、端末は、プライマリ周波数帯におけるセルの周波数についての情報及び優先度と、セカンダリ周波数帯におけるセルの周波数についての情報及び優先度とを格納する。端末が、次回ネットワークにアクセスする必要があるときに、端末は、各周波数に対応する優先度情報に基づいて、最も高い優先度の周波数を判定し、最も高い優先度の周波数からネットワークにアクセスする。
【０１０５】
図８に示される実施形態は代替的に、独立した実施形態であってよいことに留意されたい。すなわち、基地局は、構成情報を生成して当該構成情報を端末に送信する。
【０１０６】
構成情報を受信した後に、端末は、構成情報に基づいて、セカンダリ周波数帯からネットワークにアクセスする。
【０１０７】
構成情報を受信した後に、端末は、構成情報を格納してよい。現在、端末がネットワークに既にアクセスしている場合、端末は、次回ネットワークにアクセスするときに、セカンダリ周波数帯からネットワークにアクセスしてよく、端末がネットワークにアクセスしていない場合、端末がネットワークもアクセスする必要があるときに、端末は、セカンダリ周波数帯からネットワークに直接アクセスしてよい。
【０１０８】
本実施形態において、基地局は、構成情報を端末に送信して、まずセカンダリ周波数帯からネットワークにアクセスするよう端末に命令する。このように、端末は、構成情報に基づいて、セカンダリ周波数帯からネットワークに直接アクセスしてよい。セカンダリ周波数帯に対応する集約可能な周波数帯の組み合わせは、プライマリ周波数帯に対応する集約可能な周波数帯の組み合わせよりも優れている。従って、端末がセカンダリ周波数帯からネットワークにアクセスするときに、より良い周波数帯アグリゲーションを取得することができ、それにより、ユーザエクスペリエンスを向上させる。
【０１０９】
もちろん、プライマリ周波数帯に対応する集約可能な周波数帯の組み合わせがより優れていてもよい。この場合、基地局は、構成情報を端末に送信しなくてよく、端末は、プライマリ周波数帯からネットワークにアクセスする。
【０１１０】
図９は、本発明の実施形態に係る周波数帯処理装置の概略構造図である。装置は、基地局内に配置されてよく、周波数帯オーバーラッピング型の通信システムに適用される。通信システムにおいて、プライマリ周波数帯及びセカンダリ周波数帯が端末のサービングセルのために構成され、端末は、初めにプライマリ周波数帯からネットワークにアクセスする。図９を参照すると、装置は、取得モジュール９０１、判定モジュール９０２及び送信モジュール９０３を含む。
【０１１１】
取得モジュール９０１は、端末のＣＡ能力情報を取得するように構成される。
【０１１２】
判定モジュール９０２は、ＣＡ能力情報に基づいて、端末のアクセス周波数帯がプライマリ周波数帯からセカンダリ周波数帯に切り換えられると決定するように構成される。
【０１１３】
送信モジュール９０３は、切り換え命令を端末に送信するように構成され、切り換え命令は、プライマリ周波数帯からセカンダリ周波数帯にアクセス周波数帯を切り換えるよう端末に命令するために用いられる。
【０１１４】
本実施形態では、基地局は、端末のＣＡ能力情報に基づいて、端末のアクセス周波数帯がプライマリ周波数帯からセカンダリ周波数帯に切り換えられると決定し、切り換え命令を端末に送信し、その結果、端末は、切り換え命令に従って、プライマリ周波数帯からセカンダリ周波数帯にアクセス周波数帯を切り換える。切り換えた後、端末は、より良い周波数帯の組み合わせを取得でき、かつ、より良いＣＡ効果を達成でき、その結果、より広い帯域幅を取得することができ、ユーザエクスペリエンスを向上させる。
【０１１５】
さらに、送信モジュール９０３は、構成情報を端末に送信するようにさらに構成され、構成情報は、まずセカンダリ周波数帯からネットワークにアクセスするよう端末に命令するために用いられる。
【０１１６】
構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【０１１７】
任意で、判定モジュール９０２は、具体的には、ＣＡ能力情報に基づいて、プライマリ周波数帯に対応する集約可能な周波数帯の組み合わせと、セカンダリ周波数帯に対応する集約可能な周波数帯の組み合わせとを取得し、プライマリ周波数帯に対応する集約可能な周波数帯の組み合わせと、セカンダリ周波数帯に対応する集約可能な周波数帯の組み合わせとに基づいて、端末のアクセス周波数帯がプライマリ周波数帯からセカンダリ周波数帯に切り換えられると決定するように構成される。
【０１１８】
前述の装置は、前述の方法の実施形態において提供される方法を実行するように構成されてよい。具体的な実装及び技術効果は、前述の方法の実施形態において提供される方法のそれらと同様であり、本明細書において詳細が再度説明されることはない。
【０１１９】
図１０は、本発明の実施形態に係る別の周波数帯処理装置の概略構造図である。装置は、端末内に配置されてよく、周波数帯オーバーラッピング型の通信システムに適用される。通信システムにおいて、プライマリ周波数帯及びセカンダリ周波数帯は、端末のサービングセルのために構成され、端末は、初めにプライマリ周波数帯からネットワークにアクセスする。図１０を参照すると、装置は、受信モジュール１１０及びアクセスモジュール１１１を含む。
【０１２０】
受信モジュール１１０は、基地局により送信された切り換え命令を受信するように構成され、切り換え命令は、プライマリ周波数帯からセカンダリ周波数帯にアクセス周波数帯を切り換えるよう端末に命令するために用いられる。
【０１２１】
アクセスモジュール１１１は、切り換え命令に従って、プライマリ周波数帯からセカンダリ周波数帯にアクセス周波数帯を切り換えるように構成される。
【０１２２】
任意で、前述の受信モジュール１１０は、基地局により送信された構成情報を受信するようにさらに構成され、構成情報は、まずセカンダリ周波数帯からネットワークにアクセスするよう端末に命令するために用いられる。
【０１２３】
対応して、次回ネットワークにアクセスするときに、アクセスモジュール１１１は、構成情報に基づいてセカンダリ周波数帯からネットワークにアクセスする。
【０１２４】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【０１２５】
前述の装置は、前述の方法の実施形態において提供される方法を実行するように構成されてよい。具体的な実装及び技術効果は、前述の方法の実施形態において提供される方法のそれらと同様であり、本明細書において詳細が再度説明されることはない。
【０１２６】
図１１は、本発明の実施形態に係る別の周波数帯処理装置の概略構造図である。装置は、基地局内に配置されてよく、周波数帯オーバーラッピング型の通信システムに適用される。通信システムにおいて、プライマリ周波数帯及びセカンダリ周波数帯が端末のサービングセルのために構成され、端末は、初めにプライマリ周波数帯からネットワークにアクセスする。図１１に示されるように、装置は、生成モジュール１１２及び送信モジュール１１３を含む。
【０１２７】
生成モジュール１１２は、構成情報を生成するように構成され、構成情報は、まずセカンダリ周波数帯からネットワークにアクセスするよう端末に命令するために用いられる。
【０１２８】
送信モジュール１１３は、構成情報を端末に送信するように構成される。
【０１２９】
本実施形態において、基地局は、構成情報を端末に送信して、まずセカンダリ周波数帯からネットワークにアクセスするよう端末に命令する。このように、端末は、構成情報に基づいて、セカンダリ周波数帯からネットワークに直接アクセスしてよい。セカンダリ周波数帯に対応する集約可能な周波数帯の組み合わせは、プライマリ周波数帯に対応する集約可能な周波数帯の組み合わせよりも優れている。従って、端末がセカンダリ周波数帯からネットワークにアクセスときに、より良い周波数帯アグリゲーションを取得することができ、それにより、ユーザエクスペリエンスを向上させる。
【０１３０】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【０１３１】
前述の装置は、前述の方法の実施形態において提供される方法を実行するように構成されてよい。具体的な実装及び技術効果は、前述の方法の実施形態において提供される方法のそれらと同様であり、本明細書において詳細が再度説明されることはない。
【０１３２】
図１２は、本発明の実施形態に係る別の周波数帯処理装置の概略構造図である。装置は、端末内に配置されてよく、周波数帯オーバーラッピング型の通信システムに適用される。通信システムにおいて、プライマリ周波数帯及びセカンダリ周波数帯は、端末のサービングセルのために構成され、端末は、初めにプライマリ周波数帯からネットワークにアクセスする。図１２に示されるように、装置は、受信モジュール１２１及びアクセスモジュール１２２を含む。
【０１３３】
受信モジュール１２１は、基地局により送信された構成情報を受信するように構成され、構成情報は、まずセカンダリ周波数帯からネットワークにアクセスするよう端末に命令するために用いられる。
【０１３４】
アクセスモジュール１２２は、構成情報に基づいて、セカンダリ周波数帯からネットワークにアクセスするように構成される。
【０１３５】
任意で、構成情報は、プライマリ周波数帯におけるサービングセルの周波数についての情報及び優先度と、セカンダリ周波数帯におけるサービングセルの周波数についての情報及び優先度とを含み、セカンダリ周波数帯におけるサービングセルの周波数についての優先度は、プライマリ周波数帯におけるサービングセルの周波数についての優先度よりも高い。
【０１３６】
前述の装置は、前述の方法の実施形態において提供される方法を実行するように構成されてよい。具体的な実装及び技術効果は、前述の方法の実施形態において提供される方法のそれらと同様であり、本明細書において詳細が再度説明されることはない。
【０１３７】
基地局のモジュールの前述の区分は、論理的な機能区分に過ぎず、実際の実施中、一部又はすべてのモジュールは、１つの物理エンティティへ統合されてよい、又は、当該モジュールは物理的に分離されていてよいことに留意されたい。さらに、すべてのモジュールは、処理要素によりソフトウェアを呼び出すことにより実施されてよい、又は、すべてのモジュールは、ハードウェアにより実装されてよい、又は、一部のモジュールは、処理要素によりソフトウェアを呼び出すことにより実施されてよく、かつ、一部のモジュールは、ハードウェアにより実装されてよい。例えば、判定モジュールは、独立して配置される処理要素であってよい、又は、実装のために前述の装置のチップへ統合されてよい。さらに、判定モジュールは代替的に、プログラムコードの形式で前述の装置のメモリに格納されてよく、前述の装置の処理要素により呼び出されると、判定モジュールの前述の機能を実行する。他のモジュールの実装例は、判定モジュールの実装例と同様である。さらに、モジュールのすべて又は一部は、統合されてよい、又は、個別に実装されてもよい。本明細書において、処理要素は、信号処理能力を有する集積回路であってよい。実施中、前述の方法又は前述のモジュールの段階は、プロセッサ要素内のハードウェアの統合された論理回路を用いることにより、又は、ソフトウェア命令を用いることにより実施されてよい。
【０１３８】
例えば、前述のモジュールは、１又は複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、１又は複数のマイクロプロセッサ（ｄｉｇｉｔａｌ  ｓｉｇｎａｌ  ｐｒｏｃｅｓｓｏｒ、ＤＳＰ）又は１又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）など、前述の方法を実現する１又は複数の集積回路として構成されてよい。別の例に関して、前述のモジュールのうちの１つが処理要素によりプログラムコードを呼び出すことで実施される場合、処理要素は、中央演算処理装置（Ｃｅｎｔｒａｌ  Ｐｒｏｃｅｓｓｉｎｇ  Ｕｎｉｔ、ＣＰＵ）などの汎用プロセッサ、又は、プログラムコードを呼び出すことができる別のプロセッサであってよい。さらに別の例に関して、モジュールは、一緒に統合されてよく、システムオンチップ（ｓｙｓｔｅｍ−ｏｎ−ａ−ｃｈｉｐ、略してＳＯＣ）の形式で実装されてよい。
【０１３９】
図１３は、本発明の実施形態に係る基地局の概略構造図である。基地局は、周波数帯オーバーラッピング型の通信システムに適用される。通信システムにおいて、プライマリ周波数帯及びセカンダリ周波数帯が端末のサービングセルのために構成され、端末は、初めにプライマリ周波数帯からネットワークにアクセスする。
【０１４０】
図１３を参照すると、装置は、アンテナ１１、無線周波数装置１２及びベースバンド装置１３を含む。アンテナ１１は、無線周波数装置１２に接続される。アップリンク方向において、無線周波数装置１２は、アンテナ１１を通じて情報を受信し、処理するために、受信した情報をベースバンド装置１３に送信する。ダウンリンク方向において、ベースバンド装置１３は、送信対象の情報を処理して、処理した情報を無線周波数装置１２に送信する。受信した情報を処理した後に、無線周波数装置１２は、処理した情報をアンテナ１１通じて送信する。
【０１４１】
前述の周波数帯処理装置は、ベースバンド装置１３内に配置されてよく、前述の実施形態において提供される方法は、ベースバンド装置１３において実施されてよい。ベースバンド装置１３は、処理要素１３１及び記憶要素１３２を含む。例えば、ベースバンド装置１３は、少なくとも１つのベースバンド処理ボードを含んでよい。複数のチップがベースバンド処理ボード上に配置される。図１３に示されるように、例えば、複数のチップのうちの１つは、処理要素１３１であり、記憶要素１３２内のプログラムを呼び出すために記憶要素１３２に接続され、これにより、前述の方法の実施形態に示されるオペレーションを実行する。
【０１４２】
ベースバンド装置１３は、インタフェース１３３をさらに含んでよく、無線周波数装置１２と情報を交換するように構成される。例えば、インタフェースは、共通の公衆無線インタフェース（ｃｏｍｍｏｎ  ｐｕｂｌｉｃ  ｒａｄｉｏ  ｉｎｔｅｒｆａｃｅ、略してＣＰＲＩ）である。
【０１４３】
本明細書において、処理要素は、１つのプロセッサであってよい、又は、複数の処理要素に関する総称であってよい。例えば、処理要素は、ＣＰＵ又はＡＳＩＣであってよい、又は、１又は複数のマイクロプロセッサＤＳＰ又は１又は複数のフィールドプログラマブルゲートアレイＦＰＧＡなど、前述の方法を実現する１又は複数の集積回路として構成されてもよい。記憶要素は、１つのメモリであってよい、又は、複数の記憶要素に関する総称であってよい。
【０１４４】
図１４は、本発明の実施形態に係る端末の概略構造図である。端末は、周波数帯オーバーラッピング型の通信システムに適用される。通信システムにおいて、プライマリ周波数帯及びセカンダリ周波数帯は、端末のサービングセルのために構成され、端末は、初めにプライマリ周波数帯からネットワークにアクセスする。
【０１４５】
図１４を参照すると、端末は、プロセッサ１４１、記憶要素１４２及びトランシーバ装置１４３を含む。
【０１４６】
トランシーバ装置１４３は、アンテナに接続されてよい。ダウンリンク方向において、トランシーバ装置１４３は、基地局により送信された情報をアンテナを通じて受信し、処理するために当該情報をプロセッサ１４１に送信する。アップリンク方向において、プロセッサ１４１は、端末のデータを処理して、処理したデータをトランシーバ装置１４３を通じて基地局に送信する。
【０１４７】
記憶要素１４２は、前述の方法の実施形態、又は、図１０及び図１２に示される実施形態におけるモジュールを実現するプログラムコードを格納するように構成される。プロセッサ１４１は、プログラムコードを呼び出して、前述の方法の実施形態のオペレーションを実行し、これにより、図１０及び図１２に示される実施形態におけるモジュールを実現する。
【０１４８】
代替的に、前述のユニットの一部又はすべてが、端末おチップに内蔵されるフィールドプログラマブルゲートアレイ（Ｆｉｅｌｄ  Ｐｒｏｇｒａｍｍａｂｌｅ  Ｇａｔｅ  Ａｒｒａｙ、略してＦＰＧＡ）の形式で実装されてよい。ユニットは、単独で実装されてよい、又は、一緒に統合されてもよい。
【０１４９】
処理要素は、本明細書において上述のものと同様であり、ＣＰＵなどの汎用プロセッサであってよく、又は、１又は複数の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，略してＡＳＩＣ）、１又は複数のマイクロプロセッサ（ｄｉｇｉｔａｌ  ｓｉｇｎａｌ  ｐｒｏｃｅｓｓｏｒ、略してＤＳＰ）又は１又は複数のフィールドプログラマブルゲートアレイ（Ｆｉｅｌｄ  Ｐｒｏｇｒａｍｍａｂｌｅ  Ｇａｔｅ  Ａｒｒａｙ、略してＦＰＧＡ）など、前述の方法を実現する１又は複数の集積回路として構成されてよい。記憶要素は、１つの記憶装置であってよい、又は、複数の記憶要素に関する総称であってよい。
【０１５０】
さらに、複数のインタフェースは、プロセッサ上に設けられてよく、周辺機器、又は、周辺機器に接続されるインタフェース回路に接続されるように構成される。例えば、インタフェースは、ディスプレイのインタフェース、カメラのインタフェース、音声処理要素のインタフェースなどに接続されるように構成される。
【０１５１】
最後に、前述の実施形態は、単に本発明の技術的解決手段を説明することを意図したものに過ぎず、本発明を限定するものではないことに留意されたい。本発明は、前述の実施形態に関連して詳細に説明されているが、本発明の実施形態の技術的解決手段の範囲から逸脱することなく、当業者が、前述の実施形態において説明された技術的解決手段に対する変更をさらに行い得る、又は、これらの一部又はすべての技術的特徴に対する同等の置き換えを行い得ることを、当業者は理解すべきである。
【図１】
2019525545.tif 000003
【図２】
2019525545.tif 000004
【図３】
2019525545.tif 000005
【図４】
2019525545.tif 000006
【図５】
2019525545.tif 000007
【図６】
2019525545.tif 000008
【図７】
2019525545.tif 000009
【図８】
2019525545.tif 000010
【図９】
2019525545.tif 000011
【図１０】
2019525545.tif 000012
【図１１】
2019525545.tif 000013
【図１２】
2019525545.tif 000014
【図１３】
2019525545.tif 000015
【図１４】
2019525545.tif 000016
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
周波数帯処理方法であって、前記周波数帯処理方法は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記周波数帯処理方法は、
基地局により、前記端末のキャリアアグリゲーション（ＣＡ）能力情報を取得する段階と、
前記基地局により、前記ＣＡ能力情報に基づいて、前記端末のアクセス周波数帯が前記プライマリ周波数帯から前記セカンダリ周波数帯に切り換えられると決定する段階と、
前記基地局により、切り換え命令を前記端末に送信する段階であって、前記切り換え命令は、前記プライマリ周波数帯から前記セカンダリ周波数帯に前記アクセス周波数帯を切り換えるよう前記端末に命令するために用いられる、段階と
を備える周波数帯処理方法。
【請求項２】
前記基地局により、構成情報を前記端末に送信する段階であって、前記構成情報は、まず前記セカンダリ周波数帯から前記ネットワークにアクセスするよう前記端末に命令するために用いられる、段階をさらに備える、請求項１に記載の周波数帯処理方法。
【請求項３】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項２に記載の周波数帯処理方法。
【請求項４】
前記基地局により、前記ＣＡ能力情報に基づいて、前記端末のアクセス周波数帯が前記プライマリ周波数帯から前記セカンダリ周波数帯に切り換えられると決定する前記段階は、
前記基地局により、前記ＣＡ能力情報に基づいて、前記プライマリ周波数帯に対応する集約可能な周波数帯の組み合わせと、前記セカンダリ周波数帯に対応する集約可能な周波数帯の組み合わせとを取得する段階と、
前記基地局により、前記プライマリ周波数帯に対応する前記集約可能な周波数帯の組み合わせと、前記セカンダリ周波数帯に対応する前記集約可能な周波数帯の組み合わせとに基づいて、前記端末の前記アクセス周波数帯が前記プライマリ周波数帯から前記セカンダリ周波数帯に切り換えられると決定する段階と
を有する、請求項１に記載の周波数帯処理方法。
【請求項５】
プロセッサに、請求項１から４のいずれか一項に記載の周波数帯処理方法を実行させるためのプログラム。
【請求項６】
周波数帯処理方法であって、前記周波数帯処理方法は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記周波数帯処理方法は、
前記端末により、基地局から切り換え命令を受信する段階であって、前記切り換え命令は、前記プライマリ周波数帯から前記セカンダリ周波数帯にアクセス周波数帯を切り換えるよう前記端末に命令するために用いられる、段階と、
前記端末により、前記切り換え命令に従って、前記セカンダリ周波数帯から前記ネットワークにアクセスする段階と
を備える周波数帯処理方法。
【請求項７】
前記端末により、前記基地局から構成情報を受信する段階であって、前記構成情報は、まず前記セカンダリ周波数帯から前記ネットワークにアクセスするよう前記端末に命令するために用いられる、段階と、
前記端末により、次回、前記構成情報に基づいて、前記セカンダリ周波数帯から前記ネットワークにアクセスする段階と
をさらに備える、請求項６に記載の周波数帯処理方法。
【請求項８】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項７に記載の周波数帯処理方法。
【請求項９】
プロセッサに、請求項６から８のいずれか一項に記載の周波数帯処理方法を実行させるためのプログラム。
【請求項１０】
周波数帯処理装置であって、前記周波数帯処理装置は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記周波数帯処理装置は、
前記端末のキャリアアグリゲーション（ＣＡ）能力情報を取得するように構成される取得モジュールと、
前記ＣＡ能力情報に基づいて、前記端末のアクセス周波数帯が前記プライマリ周波数帯から前記セカンダリ周波数帯に切り換えられると決定するように構成される判定モジュールと、
切り換え命令を前記端末に送信するように構成される送信モジュールであって、前記切り換え命令は、前記プライマリ周波数帯から前記セカンダリ周波数帯に前記アクセス周波数帯を切り換えるよう前記端末に命令するために用いられる、送信モジュールと
を備える周波数帯処理装置。
【請求項１１】
前記送信モジュールは、構成情報を前記端末に送信するようにさらに構成され、前記構成情報は、まず前記セカンダリ周波数帯から前記ネットワークにアクセスするよう前記端末に命令するために用いられる、請求項１０に記載の周波数帯処理装置。
【請求項１２】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項１１に記載の周波数帯処理装置。
【請求項１３】
前記判定モジュールは、具体的には、前記ＣＡ能力情報に基づいて、前記プライマリ周波数帯に対応する集約可能な周波数帯の組み合わせと、前記セカンダリ周波数帯に対応する集約可能な周波数帯の組み合わせとを取得し、前記プライマリ周波数帯に対応する前記集約可能な周波数帯の組み合わせと、前記セカンダリ周波数帯に対応する前記集約可能な周波数帯の組み合わせとに基づいて、前記端末の前記アクセス周波数帯が前記プライマリ周波数帯から前記セカンダリ周波数帯に切り換えられると決定するように構成される、請求項１０に記載の周波数帯処理装置。
【請求項１４】
周波数帯処理装置であって、前記周波数帯処理装置は、周波数帯オーバーラッピング型の通信システムに適用され、前記通信システムにおいて、プライマリ周波数帯及びセカンダリ周波数帯が端末のサービングセルのために構成され、前記端末は、初めに前記プライマリ周波数帯からネットワークにアクセスし、前記周波数帯処理装置は、
基地局から切り換え命令を受信するように構成される受信モジュールであって、前記切り換え命令は、前記プライマリ周波数帯から前記セカンダリ周波数帯にアクセス周波数帯を切り換えるよう前記端末に命令するために用いられる受信モジュールと、
前記切り換え命令に基づいて、前記セカンダリ周波数帯から前記ネットワークにアクセスするように構成されるアクセスモジュールと
を備える周波数帯処理装置。
【請求項１５】
前記受信モジュールは、前記基地局から構成情報を受信するようにさらに構成され、前記構成情報は、まず前記セカンダリ周波数帯から前記ネットワークにアクセスするよう前記端末に命令するために用いられ、
前記アクセスモジュールは、次回、前記構成情報に基づいて、前記セカンダリ周波数帯から前記ネットワークにアクセスするようにさらに構成される、請求項１４に記載の周波数帯処理装置。
【請求項１６】
前記構成情報は、前記プライマリ周波数帯における前記サービングセルの周波数についての情報及び優先度と、前記セカンダリ周波数帯における前記サービングセルの周波数についての情報及び優先度とを有し、前記セカンダリ周波数帯における前記サービングセルの前記周波数についての前記優先度は、前記プライマリ周波数帯における前記サービングセルの前記周波数についての前記優先度よりも高い、請求項１５に記載の周波数帯処理装置。
【国際調査報告】
2019525545.tif 000017
2019525545.tif 000018
2019525545.tif 000019
2019525545.tif 000020